(57)【要約】【課題】  実験室などの部屋へとつながる複数の扉を有する部屋に対して、頻繁な入退室があっても一の扉が閉まるタイミングと他の扉が開かれるタイミングとが重なるような場合に、同時に複数の扉が開扉状態となり、部屋への空気の流れが発生することを確実に防止する必要があった。【解決手段】  前記一の扉が閉扉されたことを感知した前記一の制御ユニットに属する流圧スイッチからの流圧の変化を検知したときから所定の時間経過後に、対応する前記流圧シリンダーに対する制御流圧を変化させて、当該流圧シリンダーに対応する遠隔操作錠の施錠状態を解錠状態とする遅延切替ユニットを備えることによって、流体圧回路を介して一つの部屋に設けられてなる複数の扉が同時に開扉状態とることを確実に防止する遠隔操作錠の制御システムを提供する。【選択図】  図３
2018204394.tif 000002
【特許請求の範囲】
【請求項１】
一つの部屋に設けられてなる複数の扉と、
前記複数の扉のそれぞれに対応して設置されてなる遠隔操作錠の施錠状態と解錠状態とを制御する流体圧回路と、を備え、
前記流体圧回路は、前記各遠隔操作錠に対応する一組の流圧スイッチ、切替ユニット、及び流圧シリンダーによって構成されてなる制御ユニットを複数備え、
一の扉が開扉されると、対応する一の制御ユニットに属する流圧スイッチが前記一の扉の開扉状態を感知して制御流圧を出力することにより他の制御ユニットに属する全ての切替ユニットから駆動流圧を出力させ、切替ユニットから出力された駆動流圧によって駆動された前記他の制御ユニットに属する全ての流圧シリンダーが前記他の制御ユニットに属する全ての遠隔操作錠を施錠状態とすると共に、前記一の扉に対応する前記一の制御ユニットに属する遠隔操作錠の解錠状態を保持し、
前記切替ユニットのうち、少なくとも１つの切替ユニットは、当該切替ユニットが属する制御ユニットに対応する扉が閉扉されたことを感知した流圧スイッチからの流圧の変化を検知したときから所定の時間経過後に、出力していた駆動流圧を変化させて、当該駆動流圧によって施錠状態であった遠隔操作錠を解錠状態とする遅延切替ユニットに構成され、
その他の前記切替ユニットは、当該切替ユニットが属する制御ユニットに対応する扉が閉扉されたことを感知した流圧スイッチからの流圧の変化を検知すると、即座に出力していた制御流圧を変化させて、当該駆動流圧によって施錠状態であった遠隔操作錠を解錠状態とする切替弁で構成されてなる
ことを特徴とする流圧式遠隔操作錠の制御システム。
【請求項２】
全部の前記扉が閉扉状態において、前記複数の制御ユニットを構成する流圧スイッチ、及び切替ユニットは閉弁状態であると共に、全部の遠隔操作錠は解錠状態である
ことを特徴とする請求項１に記載の流圧式遠隔操作錠の制御システム。
【請求項３】
前記流体圧回路は、駆動用流体圧回路、及び制御用流体圧回路から構成されてなり、
前記遅延切替ユニットは、ディレイタイマー弁とタイマー切替弁とから構成されてなり、前記タイマー切替弁の出力ポートは前記ディレイタイマー弁のタイマー動作ポートに接続され、
前記駆動用流体圧回路は、流圧源から分岐して前記各ディレイタイマー弁の供給ポート、前記各タイマー切替弁の供給ポート、及び前記各切替弁の供給ポートを並列に接続すると共に、各ディレイタイマー弁の駆動流出力ポート、及び前記各切替弁の駆動流出力ポートを各制御ユニットにおいて対応する前記流圧シリンダーに接続し、
前記制御用流体圧回路は、前記流圧源から分岐して前記各流圧スイッチの供給ポートを並列に接続すると共に、各流圧スイッチの制御流出力ポートからその流圧スイッチが属する制御ユニット以外の他の全ての制御ユニットに属する前記タイマー切替弁のパイロットポート若しくは前記切替弁のパイロットポートを並列に接続し、
前記遠隔操作錠は、当該遠隔操作錠が設置された扉に対応する前記流圧シリンダーが接続される
ことを特徴とする請求項１または２に記載の流圧式遠隔操作錠の制御システム。
【発明の詳細な説明】
【技術分野】
【０００１】
本発明は、複数の流圧式遠隔操作錠の流圧式遠隔操作錠の制御システムに関する。
【背景技術】
【０００２】
病院や各種研究所の隔離室や実験室の前室などにおいて複数の扉が設けられている場合、２つ以上の扉を同時に開くと、部屋を通り抜ける空気流が発生するため、外部からのチリ、ホコリの侵入を防ぐ必要がある。そのため、前室でエアーシャワーなどによる空気洗浄が十分に行われないままでの、室内への流入を防止するため、前記複数の扉のうち、一の扉が開いた場合には他の扉が開かれないようにするために、開かれた扉以外の扉の錠を遠隔操作によって施錠するインターロックシステムが用いられている。空気の通り抜けを防止することでエアーシャワーによる前室のクリーンな状態を保つことができる。
【０００３】
また、従来のインターロックシステムにおいては、各扉の錠として電気錠が一般に用いられ、これらの電気錠を電気的に制御する方式が用いられている。しかしながら、可燃ガスや高濃度酸素などの危険物を取り扱う実験室などにおいては、ソレノイドやモータを駆動源とする電気錠を使用した場合、接点火花の発生やコイル加熱などによって発火や爆発を引き起こす恐れがある。
【０００４】
そこで、制御対象となる錠（以下、遠隔操作錠という。）の制御に電力を用いずに、空気圧による制御システムが提案されていた。
【先行技術文献】
【特許文献】
【０００５】
【特許文献１】特開平１０−２９９３０７号公報
【発明の概要】
【発明が解決しようとする課題】
【０００６】
しかし、従来技術に用いられていた制御システムでは、一の扉が開いている間は他の扉は施錠されて開くことがないが、人が入室して一の扉が一旦閉まると、他の扉は解錠されて開扉させることができる。そのため、頻繁な入退室があると、一の扉が閉まるタイミングと他の扉が開かれるタイミングとが重なるような場合、同時に扉が開扉状態となる事故が生じるおそれがあった。また、前室が完全にクリーンにならない状態で扉が開かれ、チリ、ホコリが侵入するおそれがあった。
【課題を解決するための手段】
【０００７】
そこで、上記課題を解決する手段として本発明に係る流圧式遠隔操作錠の制御システムは、一つの部屋に設けられてなる複数の扉と、前記複数の扉のそれぞれに対応して設置されてなる遠隔操作錠の施錠状態と解錠状態とを制御する流体圧回路と、を備え、前記流体圧回路は、前記各遠隔操作錠に対応する一組の流圧スイッチ、切替ユニット、及び流圧シリンダーによって構成されてなる制御ユニットを複数備え、一の扉が開扉されると、対応する一の制御ユニットに属する流圧スイッチが前記一の扉の開扉状態を感知して制御流圧を出力することにより他の制御ユニットに属する全ての切替ユニットから駆動流圧を出力させ、切替ユニットから出力された駆動流圧によって駆動された前記他の制御ユニットに属する全ての流圧シリンダーが前記他の制御ユニットに属する全ての遠隔操作錠を施錠状態とすると共に、前記一の扉に対応する前記一の制御ユニットに属する遠隔操作錠の解錠状態を保持し、前記切替ユニットのうち、少なくとも１つの切替ユニットは、当該切替ユニットが属する制御ユニットに対応する扉が閉扉されたことを感知した流圧スイッチからの流圧の変化を検知したときから所定の時間経過後に、出力していた駆動流圧を変化させて、当該駆動流圧によって施錠状態であった遠隔操作錠を解錠状態とする遅延切替ユニットに構成され、その他の前記切替ユニットは、当該切替ユニットが属する制御ユニットに対応する扉が閉扉されたことを感知した流圧スイッチからの流圧の変化を検知すると、即座に出力していた制御流圧を変化させて、当該駆動流圧によって施錠状態であった遠隔操作錠を解錠状態とする切替弁で構成されてなることを特徴とする。
【０００８】
流体圧回路は、回路内に流体を流すことにより生じる圧力によって遠隔操作錠を制御するものであり、流体には空気や不燃性ガスが好ましい。また、流体に水や不燃性の液体を用いることもできる。
【０００９】
本発明において、複数設けられてなる切替ユニットのうち少なくとも一つの切替ユニットが遅延切替ユニットであればよく、また、全ての切替ユニットが遅延切替ユニットで構成されていてもよい。
【００１０】
また、流圧スイッチは、機械的機構により扉の開扉状態を感知する感知機構を備えることが望ましい。電気的な手段による感知機構でないことにより、流圧スイッチを可燃ガスや高濃度酸素などの危険物を取り扱う場所での電気に起因する引火事故の原因から除外することができ、システム全体の安全性を高めることができるからである。
【００１１】
また、本発明は、全部の前記扉が閉扉状態において、前記複数の制御ユニットを構成する流圧スイッチ、及び切替ユニットは閉弁状態であると共に、全部の遠隔操作錠は解錠状態である流圧式遠隔操作錠の制御システムであることが好ましい。
【００１２】
さらに、前記流体圧回路は、駆動用流体圧回路、及び制御用流体圧回路から構成されてなり、前記遅延切替ユニットは、ディレイタイマー弁とタイマー切替弁とから構成されてなり、前記タイマー切替弁の出力ポートは前記ディレイタイマー弁のタイマー動作ポートに接続され、前記駆動用流体圧回路は、流圧源から分岐して前記各ディレイタイマー弁の供給ポート、前記各タイマー切替弁の供給ポート、及び前記各切替弁の供給ポートを並列に接続すると共に、各ディレイタイマー弁の駆動流出力ポート、及び前記各切替弁の駆動流出力ポートを各制御ユニットにおいて対応する前記流圧シリンダーに接続し、前記制御用流体圧回路は、前記流圧源から分岐して前記各流圧スイッチの供給ポートを並列に接続すると共に、各流圧スイッチの制御流出力ポートからその流圧スイッチが属する制御ユニット以外の他の全ての制御ユニットに属する前記タイマー切替弁のパイロットポート若しくは前記切替弁のパイロットポートを並列に接続し、前記遠隔操作錠は、当該遠隔操作錠が設置された扉に対応する前記流圧シリンダーが接続されることを特徴とするものであることが好ましい。
【００１３】
ここで、遅延切替ユニットは、流圧スイッチからの流圧の変化を検知して流体を流通させるまでの遅延時間を任意に設定することができる。具体的には、切替ユニットを構成するディレイタイマー弁に装備されたダイヤル等を所定の遅延時間に合わせて操作することによって、遅延時間を設定できることが好ましい。なお、遅延切替ユニットがディレイタイマー弁とタイマー切替弁とによって構成されている場合、前記流圧スイッチからの流圧の変化を検知したときとは、ディレイタイマー弁のパイロットポートへの流圧の変化をディレイタイマー弁が検知した時であり、この時から遅延時間の測定が開始される。
【００１４】
さらにまた、前記遠隔操作錠は、戸先面から突出する方向に付勢されてなる錠杆を有し、施錠状態においては、戸先面から突出した前記錠杆が退行不能なデッドボルトとして機能する扉錠であることが好ましい。
【００１５】
本発明において、遠隔操作錠の施錠状態とは、前記錠杆と連動するハンドルなどの操作によって突出した錠杆を後退させることができず、閉扉状態の扉を開くことができない状態をいう。ただし、前記ハンドルなどの操作には、サムターンやキー操作等による閉扉状態の扉を開くことができない原因を直接解除する手段は含まない。また、遠隔操作錠の解錠状態とは、錠杆が進退自在の状態にあることをいう。遠隔操作錠が解錠状態である扉は、前記ハンドルなどの操作によって突出した錠杆を後退させて、閉扉状態から扉を開くことができる。
【００１６】
さらに、前記流圧シリンダーは、対応する前記切替ユニットからの駆動流圧を受けることによって駆動し、遠隔操作錠に設けられた伝達機構を介して、戸先面から突出した前記錠杆にロッキングピースを干渉させて固定する等により、前記遠隔操作錠を施錠状態とすることができる。
【発明の効果】
【００１７】
本発明によれば、開扉した一の扉が閉じた後も、所定の時間遅延が経過するまで他の扉の施錠状態は解錠状態とされず、当該他の扉を開くことはできない。これにより、一の扉が閉まるタイミングと同時に他の扉が開かれることを効果的に防止し、扉が複数設けられた前記部屋を通り抜ける空気流が発生を防ぐことができる。
【００１８】
本発明によれば、複数の扉のうち一の扉を開くと、開いた扉の遠隔操作錠の解錠状態を保持することにより、錠杆を出没自在のラッチボルトとして機能させることができるため、当該開いた扉を確実に閉じることができる流圧式遠隔操作錠の制御システムを提供することができる。
【００１９】
また、全部の前記扉が閉扉状態において、全部の遠隔操作錠は解錠状態であることにより、開いた扉を確実に閉じることができると共に、全部の扉が閉扉されている場合には、何ら障害を受けることなくいずれかの扉を開いて入室することができる。
【図面の簡単な説明】
【００２０】
【図１】部屋Ｌ１と扉Ｄ１１、Ｄ１２の概要を示す内部の平面図である。
【図２】扉Ｄの構造の一例を示す斜視図である。
【図３】流体圧回路２Ａの概要を示し、全扉Ｄ１１，Ｄ１２が閉扉時の回路図である。
【図４】感知機構ケース４８内に設置された空圧スイッチ６の概要を示す図である。
【図５】部屋Ｌ２と扉Ｄ２１〜Ｄ２３の概要を示す内部の平面図である。
【図６】流体圧回路２Ｂの概要を示し、全扉Ｄ２１〜Ｄ２３が閉扉時の回路図である。
【発明を実施するための形態】
【００２１】
以下、本発明に係る実施の形態を、図を参照しながら詳しく説明する。なお、本明細書及び図面において、実質的に同一の機能構成を有する構成要素については、同一の符号を付することにより重複説明を省略する。なお、以下の実施の形態において、流体圧スイッチには空圧源から供給される空気から得られる空気圧（空圧）によって制御される空圧式の空圧スイッチを、流体圧シリンダーには空圧式の空圧シリンダーを使用した場合について説明する。また、切替ユニットを構成する切替弁、タイマー切替弁、及びディレイタイマー弁についても同様に空圧式の仕様のものとして説明する。
【００２２】
＜第一の実施形態＞
〔空圧回路２Ａの概要〕
図１は、一つの部屋Ｌ１に設けられてなる２つの扉Ｄ（Ｄ１１、Ｄ１２）の配置の概要を、部屋Ｌ１の床面を正面とする平面図である。図１によれば、四方に壁を有する部屋Ｌ１の内の二面の壁にそれぞれ扉Ｄ１１、扉Ｄ１２が配置されてなる。扉Ｄには、それぞれ遠隔操作錠４（４１１、４１２）が設置されてなり、各遠隔操作錠４と共に、各扉Ｄが閉扉状態から開扉状態とされたことを感知する空圧スイッチ６（６１１、６１２）が設けられてなる。
【００２３】
図２には、部屋Ｌ１に設置された扉Ｄ１１の斜視図を示す。扉Ｄ１１の戸先側の内部には遠隔操作錠４１１が設置されてなり、戸先面１４から錠杆１５が出没可能に突出してなる。錠杆１５はハンドルＨと連動しており、遠隔操作錠４１１が解錠状態である場合にハンドルＨを回すと、錠杆１５を没入させることによって扉Ｄ１を開扉することができる。また、扉Ｄ１１の内側面の上端部には、感知機構ケース４８内に収納された空圧スイッチ６１１が設置されてなり、扉Ｄ１１の開閉状態を空圧スイッチ６１１へ伝達するレバー５０の先端部が扉Ｄ１１の内側面から突設してなる。一方、扉枠Ｗの上端部であって、空圧スイッチ６１１と対面する位置に当て板５２が設けられてなり、扉Ｄ１１が閉扉されると、レバー５０が当て板５２に押当てられることによって空圧スイッチ６１１を閉弁状態とする。当該扉Ｄ１１の機構は扉Ｄ１２においても同様である。
【００２４】
図３は、流圧式遠隔操作錠の制御システム１Ａ（以下、制御システム１Ａという。）の扉Ｄ１１、及び扉Ｄ１２が閉扉時の概要を示す回路図である。本実施の形態に係る制御システム１Ａは、流体圧回路としての空圧回路２Ａによって構成されてなり、空圧源３から供給される空気から得られる空気圧（空圧）によって、空圧式遠隔操作錠４の施錠状態と解錠状態を遠隔から制御できるものである。
【００２５】
図３の空圧回路２Ａは、各遠隔操作錠４に対応する一組の空圧スイッチ６、切替ユニット７（遅延切替ユニット７１、切替弁７３）、及び空圧シリンダー８によって構成されてなる制御ユニット９１を二組（制御ユニット９１１、９１２）備える。具体的には、空圧スイッチ６１１、切替ユニット７としてタイマー切替弁７１１、及びディレイタイマー弁７１２によって構成されてなる遅延切替ユニット７１、並びに空圧シリンダー８１１が制御ユニット９１１を構成し、制御ユニット９１１は扉Ｄ１１及び遠隔操作錠４１１に対応する。空圧スイッチ６１２、切替ユニット７としての切替弁７３、及び空圧シリンダー８１２が制御ユニット９１２を構成し、制御ユニット９１２は扉Ｄ１２及び遠隔操作錠４１２に対応する。なお、図３において制御ユニット９１１、９１２は、制御システム１Ａを二点鎖線で大きく２つの範囲に分けた各範囲によって示される。また、図３において遅延切替ユニット７１は、対応する制御ユニット９１１を示す二点鎖線の範囲内に表された、二点鎖線に囲まれてなる小さな範囲によって示される。
【００２６】
また、空圧回路２Ａは、駆動用空圧回路２１１、及び制御用空圧回路２１２によって構成されてなる。さらに、駆動用空圧回路２１１の基端には空圧源３が接続されてなる。空圧源は、駆動用空圧回路２１１を介して部屋Ｌ１から離隔された位置に配置されてなり、部屋Ｌ１においては空圧回路２Ａ及び空圧回路２Ａに接続された機構には電気的に制御されるものを排除することができる。
【００２７】
本実施の形態において、図３に示すように、空圧スイッチ６には３ポート型単動常時開メカニカルバルブを用いた。空圧スイッチ６は、後述する扉Ｄの開扉動作によりプランジャー４９が突出状態とされることにより開弁される。タイマー切替弁７１１にはマスターバルブ（ＮＯ型）を、切替弁７３にはマスターバルブ（ＮＣ型）を用いた。タイマー切替弁７１１は、制御用空圧回路２１２からパイロットポート７ＰＢａへ空圧が加圧されることにより閉弁される。切替弁７３は、制御用空圧回路２１２からパイロットポート７ＰＢｃへ空圧が加圧されることにより開弁される。なお、空圧スイッチ６、タイマー切替弁７１１、及び切替弁７３には、本発明の課題を解決できるものであれば、他のタイプのメカニカルバルブ及びマスターバルブを利用できることもできる。
【００２８】
ディレイタイマー弁７１２には、パイロットポート７ＰＢｂが加圧されると設定時間後にディレイタイマー弁７１２内の空気の流れが遮断されるオフディレイタイマー式のものを用いた。
【００２９】
タイマー切替弁７１１のパイロットポート７ＰＢａへの加圧がされていない状態において、タイマー切替弁７１１は開弁状態であり、タイマー切替弁７１１の供給ポート７Ｐａに入力された空圧源からの空圧によって、対応するタイマー動作ポート７Ａａから、制御流が出力されてなり、対応するディレイタイマー弁７１２のパイロットポート７ＰＢｂを加圧する。
【００３０】
駆動用空圧回路２１１は、空圧源３から分岐してディレイタイマー弁７１２の供給ポート７Ｐｂ、及び切替弁７３の供給ポート７Ｐｃを並列に接続すると共に、ディレイタイマー弁７１２の駆動流出力ポート７Ａｂから制御ユニット９１１において対応する空圧シリンダー８１１を接続し、切替弁７３の駆動流出力ポート７Ａｃから制御ユニット９１２において対応する空圧シリンダー８１２を接続する。
【００３１】
制御用空圧回路２１２は、空圧源３から分岐してタイマー切替弁７１１の供給ポート７Ｐａ、及び各空圧スイッチ６の供給ポート６Ｐ（６Ｐａ、６Ｐｂ）を並列に接続すると共に、各空圧スイッチ６の制御流出力ポート６Ａ（６Ａａ、６Ａｂ）からその空圧スイッチ６が属する制御ユニット９１以外の他の制御ユニット９１に属する切替ユニット７を構成するタイマー切替弁２１１のパイロットポート７ＰＢａ、又は切替弁７３のパイロットポート７ＰＢｃに接続する。なお、本実施の形態においては、空圧源３からタイマー切替弁７１１の供給ポート７Ｐａ、及び各空圧スイッチ６の供給ポートまでを接続する制御用空圧回路２１２は、駆動用空圧回路２１１の一部と管路を共有する。
【００３２】
具体的には、制御ユニット９１１に属する空圧スイッチ６１１の制御流出力ポート６Ａａに接続された管路は、他の制御ユニット９１２に属する切替弁７３のパイロットポート７ＰＢｃに接続されている。
また、制御ユニット９１２に属する空圧スイッチ６１２の制御流出力ポート６Ａｂに接続された管路は、他の制御ユニット９１１に属するタイマー切替弁７１１のパイロットポート７ＰＢａに接続されている。
【００３３】
また、遅延切替ユニット７１を構成するタイマー切替弁７１１の制御流出力ポート７Ａａは、同じく遅延切替ユニット７１を構成するディレイタイマー弁７１２のパイロットポート７Ｐｂと制御用空圧回路２１２によって接続されている。本実施の形態において、タイマー切替弁７１１はマスターバルブ（ＮＯ型）であるため、空圧スイッチ６１２が閉弁状態において開弁されて、ディレイタイマー弁７１２のパイロットポート７ＰＢｂを加圧する。
【００３４】
なお、各空圧スイッチ６には排気ポート６Ｒ（６Ｒａ、６Ｒｂ）が設けられてなり当該排気ポートから排気回路２１３を介してサイレンサーＮＣに接続されてなる。開扉状態となっていた扉Ｄが閉じられると、その扉Ｄに設置された空圧スイッチ６が閉弁されると共に、制御用空圧回路２１２に加圧されていた空圧が排気ポート６Ｒから排気回路２１３を介してサイレンサーＮＣから排気される。また、切替弁７３には、排気ポート７Ｒｃが設けられてなり、空圧スイッチ６１１から制御用空圧回路２１２内の空圧が排気されると、当該空圧スイッチ６１１から空圧を受けていた切替弁７３が閉弁されると共に、駆動用空圧回路２１１に加圧されていた空圧が排気ポート７Ｒｃから排気回路２１３を介してサイレンサーＮＣから排気される。なお、図３において、排気ポート７Ｒａ、７Ｒｃに接続されている排気回路２１３は中途で省略している。
【００３５】
〔空圧スイッチ６の動作説明〕
扉Ｄの内側面には、図２に示すように、扉Ｄの開閉を感知する空圧スイッチ６が収められた感知機構ケース４８が取り付けられてなる。
【００３６】
空圧スイッチ６は、図４に示すように、常時突出方向に付勢されるプランジャー４９と、このプランジャー４９を押し込むレバー５０、及びこのプランジャー４９の突出により開弁する弁体（図示しない）とから構成されてなる。また、空圧スイッチ６の供給ポート６Ｐには、駆動用空圧回路２１１が接続され、制御流出力ポート６Ａには制御用空圧回路２１２が接続され、排気ポート６Ｒには排気回路２１３が接続されてなる。
【００３７】
レバー５０は、基端が空圧スイッチ６の外殻の端面に固定されてプランジャー４９を挟み込むように設置された板バネ状に形成されてなり、回転体が設けられてなる先端部５０ａが感知機構ケース４８の開口５１から突設されてなる。
【００３８】
扉Ｄが閉扉状態である場合において、レバー５０は図４（ａ）に示すように、扉枠Ｗに設けられた当て板５２に押し付けられることによりプランジャー４９を押し込んで空圧スイッチ６を閉弁状態に保持する。そして、扉Ｄが開扉する際にレバー５０が当て板５２から離脱することによって、図４（ｂ）に示すように、レバー５０に負荷されるプランジャー４９からの押圧力を解放され、プランジャー４９が突出し、空圧スイッチ６が開弁される。
【００３９】
〔空圧回路２Ａの動作説明〕
図１において、部屋Ｌ１に設けられている扉Ｄ１１、Ｄ１２のいずれもが閉扉されている場合、図３における空圧源３からは常時空圧が供給されているが、空圧スイッチ６１１、６１２のいずれも閉弁状態となっている。このとき、タイマー切替弁７１１のパイロットポート７ＰＢａへの加圧がされておらず、タイマー切替弁７１１は開弁状態となっている。従って、タイマー切替弁７１１の供給ポート７Ｐａに入力された空圧源からの空圧が、タイマー動作ポート７Ａａから制御流として出力されてなり、ディレイタイマー弁７１２のパイロットポート７ＰＢｂを加圧する。
【００４０】
これにより、ディレイタイマー弁７１２と切替弁７３は閉弁状態であるため、空圧シリンダー８１１、８１２には空圧が加圧されていない状態となっている。すなわち、扉Ｄ１１、Ｄ１２のいずれもが閉扉されている場合、遠隔操作錠４１１、４１２は、全て解錠状態となっており、入室者は扉Ｄ１１、Ｄ１２のいずれの扉からでも部屋Ｌ１へ入室することができる。
【００４１】
１．扉Ｄ１２を開いて部屋Ｌ１へ入室した場合の説明
（ディレイタイマー弁７１２による解錠遅延動作の説明）
入室者が扉Ｄ１２を開いて部屋Ｌ１へ入室し、その後部屋Ｌ１から退室する場合を説明する。入室者は、閉扉されていた状態の扉Ｄ１２のハンドルＨを掴んで回し、扉Ｄ１２を開いて部屋Ｌ１へ入室することができる。この際、遠隔操作錠４１２は解錠状態であるので、ハンドルＨを回すことによって錠杆１５を後退させることができる。そして、扉Ｄ１２を引くと当て板５２からレバー５０が離脱することにより、扉Ｄ１２に対応する制御ユニット９１２に属する空圧スイッチ６１２を開弁し、制御流出力ポート６Ａｂから空圧が出力される。制御流出力ポート６Ａｂから出力された空圧は、制御用空圧回路２１２を介して制御ユニット９１１に属するタイマー切替弁７１１のパイロットポート７ＰＢａに伝達される。
【００４２】
タイマー切替弁７１１は、パイロットポート７ＰＢａへの空圧を受けて閉弁し、タイマー動作ポート７Ａａからディレイタイマー弁７１２のパイロットポート７ＰＢｂへの加圧を止める。この際、パイロットポート７ＰＢｂへ加圧されていた空気は、タイマー切替弁７１１の排気ポート７Ｒａから排気回路２１３へ排気される。パイロットポート７ＰＢｂへの加圧が止まった後、即座に空圧源３からの空気の流れがディレイタイマー弁７１２内を通り、制御流出力ポート７Ａｂから駆動用空圧回路２１１を介して制御ユニット９１１に属する空圧シリンダー８１１へ空圧を伝達する。
【００４３】
空圧を受けた空圧シリンダー８１１は，ロッド１０を突出させて、制御ユニット９１１に属する遠隔操作錠４１１を施錠状態とする。これにより、扉Ｄ１２が開扉されている間は、扉Ｄ１１を開くことができないため、部屋Ｌ１において同時に２つの扉が開くことはなく、部屋Ｌ１を通り抜ける空気流の発生を防ぐことができる。
【００４４】
一方、扉Ｄ１２を開扉すると、前述のとおり遠隔操作錠４１１は施錠状態となり、扉Ｄ１１は閉扉された状態に保持されるため、図３に示す回路図より、切替弁７３から空圧は出力されない。そのため、扉Ｄ１２に設置された遠隔操作錠４１２は解錠状態のまま保持されるので、錠杆１５は出没自在のラッチボルトとして機能する。これにより、開扉された扉Ｄ１２を再び閉扉する際には錠杆１５が扉枠Ｗに押し込まれながら遠隔操作錠４１２内へ没入するので、扉Ｄ１２を扉枠Ｗ内に収めて閉扉状態とすることができる。
【００４５】
開扉されたＤ１２は、入室者が部屋Ｌ１へ入室すると、再び扉枠Ｗに収まって閉扉状態となる。扉Ｄ１２が閉扉状態となると、レバー５０が当て板５２に押し当たり、プランジャー４９が押し込まれて空圧スイッチ６１２を閉弁状態とする。閉弁状態となった空圧スイッチ６１２からは排気ポート６Ｒｂを介して制御用空圧回路２１２から制御用の空圧が抜ける。
【００４６】
これにより、タイマー切替弁７１１が開弁されて、再びディレイタイマー弁７１２のパイロットポート７ＰＢｂへ加圧する。このとき、パイロットポート７ＰＢｂへの加圧を検知したディレイタイマー弁７１２は、設定された遅延時間が経過した後、閉弁して空圧シリンダー８１１に加圧されていた空圧を抜く。
【００４７】
空圧シリンダー８１１から空圧が抜けると、ロッド１０はシリンダー本体１１の内部に設けられたバネによって元の状態へ没入し、遠隔操作錠４１１を解錠状態とする。従って、入室者が扉Ｄ１２から部屋Ｌ１に入室し、扉Ｄ１２が閉扉状態となった後も、扉Ｄ１１は設定された遅延時間の間は施錠状態のままであり、入室者は遅延時間が経過するまで扉Ｄ１１を開いて部屋Ｌ１から退室することができない。
【００４８】
これにより、一の扉Ｄ１２が閉まるタイミングと同時に他の扉Ｄ１１が開かれることを効果的に防止し、部屋Ｌ１を通り抜ける空気流が発生を防ぐことができる。
【００４９】
２．扉Ｄ１１を開いて部屋Ｌ１へ入室した場合の説明
一方、本実施の形態において、入室者が扉Ｄ１１を開いて部屋Ｌ１へ入室しようとする場合を説明する。入室者は、閉扉されていた状態の扉Ｄ１１のハンドルＨを掴んで回し、扉Ｄ１１を開いて部屋Ｌ１へ入室することができる。この際、遠隔操作錠４１１は解錠状態であるので、ハンドルＨを回すことによって錠杆１５を後退させることができる。そして、扉Ｄ１１を引くと当て板５２からレバー５０が離脱することにより、扉Ｄ１１に対応する制御ユニット９１１に属する空圧スイッチ６１１を開弁し、制御流出力ポート６Ａａから空圧が出力される。制御流出力ポート６Ａａから出力された空圧は、制御用空圧回路２１２を介して制御ユニット９１２に属する切替弁７３のパイロットポート７ＰＢｃに伝達される。
【００５０】
切替弁７３は、パイロットポート７ＰＢｃへの空圧を受けて開弁し、駆動流出力ポート７Ａｃから駆動用空圧回路２１１を介して制御ユニット９１２に属する空圧シリンダー８１２へ空圧を伝達する。
【００５１】
空圧を受けた空圧シリンダー８１２はロッド１０を突出させて、制御ユニット９１２に属する遠隔操作錠４１２を施錠状態とする。これにより、扉Ｄ１１が開扉されている間は、扉Ｄ１２を開くことができないため、部屋Ｌ１において同時に２つの扉が開くことはなく、部屋Ｌ１を通り抜ける空気流の発生を防ぐことができる。
【００５２】
一方、本発明における扉Ｄ１１を開扉しても、タイマー切替弁７１１は開弁されないので、遠隔操作錠４１１は錠杆１５が出没自在の解錠状態のまま保持される。
【００５３】
開扉されたＤ１１は、入室者が部屋Ｌ１へ入室すると、再び扉枠Ｗに収まって閉扉状態となる。扉Ｄ１１が閉扉状態となると、レバー５０が当て板５２に押し当たり、プランジャー４９が押し込まれて空圧スイッチ６１１を閉弁状態とする。閉弁状態となった空圧スイッチ６１１からは排気ポート６Ｒａを介して制御用空圧回路２１２から制御用の空圧が抜ける。これにより、切替弁７３が閉弁されると共に、切替弁７３の排気ポート７Ｒｃからも駆動用空圧回路２１１から空圧が抜けると共に、空圧シリンダー８１２からも空圧が抜ける。
【００５４】
空圧シリンダー８１２から空圧が抜けると、ロッド１０はシリンダー本体１１の内部に設けられたバネによって元の状態へ没入し、遠隔操作錠４１２を解錠状態とする。従って、入室者は扉Ｄ１１から部屋Ｌ１に入室すると、扉Ｄ１１を閉扉状態とした後、即座に扉Ｄ１２は再び解錠状態となり、入室者は扉Ｄ１２から部屋Ｌ１を退室することができる。
【００５５】
第一の実施形態によれば、一の扉Ｄ１２から他の扉Ｄ１１へ向かう部屋Ｌ１の通り抜けの際に、特に部屋Ｌ１を通り抜ける空気流の発生を防止したい場合に効果的であり、一方で、他の扉Ｄ１１から一の扉Ｄ１２へ向かう部屋Ｌ１の通り抜け用に遅延切替ユニット７１を設ける必要がなく、切替弁７３を用いることで空圧回路２Ａを単純化することができる。
【００５６】
＜第二の実施形態＞
〔空圧回路２の概要〕
図５は、一つの部屋Ｌ２に設けられてなる複数の扉Ｄ（Ｄ２１、Ｄ２２、Ｄ２３）の配置の概要を、部屋Ｌ２の床面を正面とする平面図である。図５によれば、四方に壁を有する部屋Ｌ２の内の三面の壁にそれぞれ扉Ｄ２１、扉Ｄ２２、扉Ｄ２３が配置されてなる。扉Ｄには、それぞれ遠隔操作錠４（４２１、４２２、４２３）が設置されてなり、各遠隔操作錠４と共に、各扉Ｄが閉扉状態から開扉状態とされたことを感知する空圧スイッチ６（６２１、６２２、６２３）が設けられてなる。
【００５７】
図２には、部屋Ｌ２に設置された扉Ｄ２１の斜視図を示す。扉Ｄ２１の戸先側の内部には遠隔操作錠４２１が設置されてなり、戸先面１４から錠杆１５が出没可能に突出してなる。錠杆１５はハンドルＨと連動しており、遠隔操作錠４２１が解錠状態である場合にハンドルＨを回すと、錠杆１５を没入させることによって扉Ｄ２１を開扉することができる。また、扉Ｄ２１の内側面の上端部には、感知機構ケース４８内に収納された空圧スイッチ６２１が設置されてなり、扉Ｄ２１の開閉状態を空圧スイッチ６２１へ伝達するレバー５０の先端部が扉Ｄ２１の内側面から突設してなる。一方、扉枠Ｗの上端部であって、空圧スイッチ６２１と対面する位置に当て板５２が設けられてなり、扉Ｄ２１が閉扉されると、レバー５０が当て板５２に押当てられることによって空圧スイッチ６２１を閉弁状態とする。当該扉Ｄ２１の機構は扉Ｄ２２、Ｄ２３においても同様である。
【００５８】
図６は、流圧式遠隔操作錠の制御システム１Ｂ（以下、制御システム１Ｂという。）の扉Ｄ２１〜扉Ｄ２３が閉扉時の概要を示す回路図である。本実施の形態に係る制御システム１Ｂは、流体圧回路としての空圧回路２Ｂによって構成されてなり、空圧源３から供給される空気から得られる空気圧（空圧）によって、空圧式遠隔操作錠４の施錠状態と解錠状態を遠隔から制御できるものである。
【００５９】
図６の空圧回路２Ｂは、各遠隔操作錠４に対応する一組の空圧スイッチ６、切替弁７、及び空圧シリンダー８によって構成されてなる制御ユニット９２を三組（制御ユニット９２１、９２２、９２３）備える。具体的には、空圧スイッチ６２１、切替ユニット７としてタイマー切替弁７２１Ａ、及びディレイタイマー弁７２２Ａによって構成されてなる遅延切替ユニット７２Ａ、並びに空圧シリンダー８２１が制御ユニット９２１を構成し、制御ユニット９２１は扉Ｄ２１及び遠隔操作錠４０１に対応する。空圧スイッチ６２２、切替ユニット７としてタイマー切替弁７２１Ｂ、及びディレイタイマー弁７２２Ｂによって構成されてなる遅延切替ユニット７２Ｂ、並びに空圧シリンダー８２２が制御ユニット９２２を構成し、制御ユニット９２２は扉Ｄ２２及び遠隔操作錠４２２に対応する。空圧スイッチ６２３、切替ユニット７としてタイマー切替弁７２１Ｃ、及びディレイタイマー弁７２２Ｃによって構成されてなる遅延切替ユニット７２Ｃ、並びに空圧シリンダー８２３が制御ユニット９２３を構成し、制御ユニット９２３は扉Ｄ２３及び遠隔操作錠４２３に対応する。なお、図６において制御ユニット９２１、９２２、９２３は、制御システム１Ｂを二点鎖線で大きく３つの範囲に分けた各範囲によって示される。また、図６において遅延切替ユニット７２Ａ、７２Ｂ、７２Ｃは、それぞれに対応する制御ユニット９２を示す二点鎖線の範囲内に表された、二点鎖線に囲まれてなる小さな範囲によって示される。
【００６０】
また、空圧回路２Ｂは、駆動用空圧回路２２１、及び制御用空圧回路２２２から構成されてなる。さらに、駆動用空圧回路２２１の基端には空圧源３が接続されてなる。空圧源は、駆動用空圧回路２２１を介して部屋Ｌ２から離隔された位置に配置されてなり、部屋Ｌにおいては空圧回路２Ｂ及び空圧回路２Ｂに接続された機構には電気的に制御されるものを排除することができる。
【００６１】
本実施の形態において、図６に示すように、空圧スイッチ６には３ポート型単動常時開メカニカルバルブを用いた。空圧スイッチ６は、後述する扉Ｄの開扉動作によりプランジャー４９が突出状態とされることにより開弁される。タイマー切替弁７２１（７２１Ａ，７２１Ｂ、７２１Ｃ）にはマスターバルブ（ＮＯ型）を用いた。タイマー切替弁７２１は、制御用空圧回路２２２から、それぞれのパイロットポート７ＰＢｄ、７ＰＢｅ、７ＰＢｆへ空圧が加圧されることにより閉弁される。なお、空圧スイッチ６、及びタイマー切替弁７２１には、本発明の課題を解決できるものであれば、他のタイプのメカニカルバルブ及びマスターバルブを利用できることもできる。
【００６２】
ディレイタイマー弁７２２（７２２Ａ，７２２Ｂ，７２２Ｃ）には、それぞれのパイロットポート７ＰＢｇ、７ＰＢｈ、７ＰＢｉが加圧されると設定時間後にディレイタイマー弁７２２内の空気の流れが遮断されるオフディレイタイマー式のものを用いた。
【００６３】
タイマー切替弁７２１のパイロットポートへの加圧がされていない状態において、タイマー切替弁７２１は開弁状態であり、タイマー切替弁７２１の供給ポート７Ｐｄ、７Ｐｅ、７Ｐｆに入力された空圧源からの空圧によって、対応するタイマー動作ポート７Ａｄ、７Ａｅ、７Ａｆから、制御流が出力されてなり、対応するディレイタイマー弁７２２のパイロットポートを加圧する。
【００６４】
駆動用空圧回路２２１は、空圧源３から分岐してディレイタイマー弁７２２の供給ポート７Ｐｇ、７Ｐｈ、７Ｐｉを並列に接続すると共に、ディレイタイマー弁７２２の駆動流出力ポート７Ａｇ、７Ａｈ、７Ａｉから制御ユニット９２において対応する空圧シリンダー８を接続する。
【００６５】
制御用空圧回路２２２は、空圧源３から分岐してタイマー切替弁７２１の供給ポート７Ｐｄ、７Ｐｅ、７Ｐｆ、及び各空圧スイッチ６の供給ポート６Ｐ（６Ｐｄ、６Ｐｅ、６Ｐｆ）を並列に接続すると共に、各空圧スイッチ６の制御流出力ポート６Ａ（６Ａｄ、６Ａｅ、６Ａｆ）からその空圧スイッチ６が属する制御ユニット９２以外の他の全ての制御ユニット９２に属するタイマー切替弁７２１のパイロットポートを並列に接続する。なお、本実施の形態においては、空圧源３からタイマー切替弁７２１の供給ポート、及び各空圧スイッチ６の供給ポートまでを接続する制御用空圧回路２２２は、駆動用空圧回路２２１の一部と管路を共有する。
【００６６】
具体的には、制御ユニット９２１に属する空圧スイッチ６２１の制御流出力ポート６Ａｄに接続された管路は中途で分岐して、他の制御ユニット９２２に属するタイマー切替弁７２１Ｂのパイロットポート７ＰＢｅ、及び制御ユニット９２３に属するタイマー切替弁７２１Ｃのパイロットポート７ＰＢｆに接続されている。
また、制御ユニット９２２に属する空圧スイッチ６２２の制御流出力ポート６Ａｅに接続された管路は中途で分岐して、他の制御ユニット９２１に属するタイマー切替弁７２１Ａのパイロットポート７ＰＢｄ、及び制御ユニット９２３に属するタイマー切替弁７２１Ｃのパイロットポート７ＰＢｆに接続されている。
また、制御ユニット９２３に属する空圧スイッチ６２３の制御流出力ポート６Ａｆに接続された管路は中途で分岐して、他の制御ユニット９２１に属するタイマー切替弁７２１Ａのパイロットポート７ＰＢｄ、及び制御ユニット９２２に属するタイマー切替弁７２１Ｂのパイロットポート７ＰＢｅに接続されている。
【００６７】
パイロットポート７ＰＢｄの上流側手前にはＯＲ素子５２１が配設されてなり、制御流出力ポート６Ａｅまたは制御流出力ポート６Ａｆから送られた空圧を１本の管路に集約してパイロットポート７ＰＢｄに伝達する。
パイロットポート７ＰＢｅの上流側手前にはＯＲ素子５２２が配設されてなり、制御流出力ポート６Ａｄまたは制御流出力ポート６Ａｆから送られた空圧を１本の管路に集約してパイロットポート７ＰＢｅに伝達する。
パイロットポート７ＰＢｆの上流側手前にはＯＲ素子５２３が配設されてなり、制御流出力ポート６Ａｄまたは制御流出力ポート６Ａｅから送られた空圧を１本の管路に集約してパイロットポート７ＰＢｆに伝達する。
【００６８】
なお、各空圧スイッチ６には排気ポート６Ｒ（６Ｒｄ、６Ｒｅ、６Ｒｆ）が設けられてなり当該排気ポートから排気回路２２３を介してサイレンサーＮＣに接続されてなる。開扉状態となっていた扉Ｄが閉じられると、その扉Ｄに設置された空圧スイッチ６が閉弁されると共に、制御用空圧回路２２２に加圧されていた空圧が排気ポート６Ｒから排気回路２２３を介してサイレンサーＮＣから排気される。
【００６９】
〔空圧スイッチ６の動作説明〕
扉Ｄの内側面には、図２に示すように、扉Ｄの開閉を感知する空圧スイッチ６が収められた感知機構ケース４８が取り付けられてなる。
【００７０】
空圧スイッチ６は、図４に示すように、常時突出方向に付勢されるプランジャー４９と、このプランジャー４９を押し込むレバー５０、及びこのプランジャー４９の突出により開弁する弁体（図示しない）とから構成されてなる。また、空圧スイッチ６の供給ポート６Ｐには、駆動用空圧回路２２１が接続され、制御流出力ポート６Ａには制御用空圧回路２２２が接続され、排気ポート６Ｒには排気回路２２３が接続されてなる。
【００７１】
レバー５０は、基端が空圧スイッチ６の外殻の端面に固定されてプランジャー４９を挟み込むように設置された板バネ状に形成されてなり、回転体が設けられてなる先端部５０ａが感知機構ケース４８の開口５１から突設されてなる。
【００７２】
扉Ｄが閉扉状態である場合において、レバー５０は図４（ａ）に示すように、扉枠Ｗに設けられた当て板５２に押し付けられることによりプランジャー４９を押し込んで空圧スイッチ６を閉弁状態に保持する。そして、扉Ｄが開扉する際にレバー５０が当て板５２から離脱することによって、図４（ｂ）に示すように、レバー５０に負荷されるプランジャー４９からの押圧力を解放され、プランジャー４９が突出し、空圧スイッチ６が開弁される。
【００７３】
一の制御ユニット９２に属する空圧スイッチ６が開弁されて、他の制御ユニット９２に属する遅延切替ユニット７２から駆動用空圧回路２２１を介して対応する空圧シリンダー８に空圧が加圧されると、遠隔操作錠４は施錠状態となる。
【００７４】
〔空圧回路２Ｂの動作説明〕
図５において、部屋Ｌ２に設けられている扉Ｄ２１〜Ｄ２３の全てが閉扉されている場合、図６における空圧源３からは常時空圧が供給されているが、空圧スイッチ６２１〜６２３のいずれも閉弁状態となっている。このとき、タイマー切替弁７２１のパイロットポート７ＰＢｄ、７ＰＢｅ、７ＰＢｆへの加圧がされておらず、タイマー切替弁７２１は開弁状態となっている。従って、タイマー切替弁７２１の供給ポート７Ｐｄ、７Ｐｅ、７Ｐｆに入力された空圧源からの空圧が、タイマー動作ポート７Ａｄ、７Ａｅ、７Ａｆから制御流として出力されてなり、ディレイタイマー弁７２２のパイロットポートを加圧する。
【００７５】
これにより、ディレイタイマー弁７２２Ａ〜７２２Ｃは閉弁状態とされるため、空圧シリンダー８２１〜８２３には空圧が加圧されていない状態となっている。すなわち、扉Ｄ２１〜Ｄ２３の全てが閉扉されている場合、遠隔操作錠４２１〜４２３は、全て解錠状態となっており、入室者は扉Ｄ２１〜Ｄ２３のいずれの扉からでも部屋Ｌ２へ入室することができる。
【００７６】
１．扉Ｄ２１を開いて部屋Ｌ２へ入室した場合の説明
（ディレイタイマー弁７２２による解錠遅延動作の説明）
ここで、仮に入室者が扉Ｄ２１を開いて部屋Ｌ２へ入室しようとする場合を説明する。入室者は、閉扉されていた状態の扉Ｄ２１のハンドルＨを掴んで回し、扉Ｄ２１を開いて部屋Ｌ２へ入室することができる。この際、遠隔操作錠４２１は解錠状態であるので、ハンドルＨを回すことによって錠杆１５を後退させることができる。そして、扉Ｄ２１を引くと当て板５２からレバー５０が離脱することにより、扉Ｄ２１に対応する制御ユニット９２１に属する空圧スイッチ６２１を開弁し、制御流出力ポート６Ａｄから空圧が出力される。制御流出力ポート６Ａｄから出力された空圧は、制御用空圧回路２２２を介して制御ユニット９２１以外の制御ユニット９２２及び９２３に属するタイマー切替弁７２１Ｂ及び７２１Ｃのパイロットポート７ＰＢｅ及び７ＰＢｆに同時に伝達される。
【００７７】
タイマー切替弁７２１Ｂ及び７２１Ｃは、パイロットポート７ＰＢｅ及び７ＰＢｆへの空圧を受けて閉弁し、タイマー動作ポート７Ａｄからディレイタイマー弁７２２Ｂのパイロットポート７ＰＢｈ及び７２２Ｃのパイロットポート７ＰＢｉへの加圧を止める。この際、パイロットポート７ＰＢｅ及び７ＰＢｆへ加圧されていた空気は、タイマー切替弁７２１Ｂ及び７２１Ｃの排気ポート７Ｒｅ、７Ｒｆから排気回路２２３へ排気される。パイロットポート７ＰＢｈ、７ＰＢｉへの加圧が止まった後、即座に空圧源３からの空気の流れがディレイタイマー弁７２２Ｂ及び７２２Ｃ内を通り、制御流出力ポート７Ａｈ、７Ａｉから駆動用空圧回路２２１を介して制御ユニット９２２に属する空圧シリンダー８２２、及び制御ユニット９２３に属する空圧シリンダー８２３へ空圧を伝達する。なお、図６において、排気ポート７Ｒｄ、７Ｒｅ、７Ｒｆに接続されている排気回路２２３は中途で省略している。
【００７８】
空圧を受けた空圧シリンダー８２２及び８２３はそれぞれのロッド１０を突出させて、制御ユニット９２２及び９２３に属する遠隔操作錠４２２及び４２３を施錠状態とする。これにより、扉Ｄ２１が開扉されている間は、扉Ｄ２２及びＤ２３を開くことができないため、部屋Ｌ２において同時に２以上の扉が開くことはなく、部屋Ｌ２を通り抜ける空気流の発生を防ぐことができる。
【００７９】
一方、扉Ｄ２１を開扉すると、前述のとおり遠隔操作錠４２２及び４２３は施錠状態となり、扉Ｄ２２及びＤ２３は閉扉された状態に保持されるため、図６に示す回路図より、ディレイタイマー弁７２２Ａから空圧は出力されない。そのため、扉Ｄ２１に設置された遠隔操作錠４２１は解錠状態のまま保持されるので、錠杆１５は出没自在のラッチボルトとして機能する。これにより、開扉された扉Ｄ２１を再び閉扉する際には、錠杆１５が扉枠Ｗに押し込まれながら遠隔操作錠４２１内へ没入するので、扉Ｄ２１を扉枠Ｗ内に収めて閉扉状態とすることができる。
【００８０】
開扉されたＤ２１は、入室者が部屋Ｌ２へ入室すると、再び扉枠Ｗに収まって閉扉状態となる。扉Ｄ２１が閉扉状態となると、レバー５０が当て板５２に押し当たり、プランジャー４９が押し込まれて空圧スイッチ６２１を閉弁状態とする。閉弁状態となった空圧スイッチ６２１からは排気ポート６Ｒｄを介して制御用空圧回路２２２から制御用の空圧が抜ける。
【００８１】
これにより、タイマー切替弁７２１Ｂ及び７２１Ｃが開弁されて、再びディレイタイマー弁７２２Ｂ及び７２２Ｃのパイロットポート７ＰＢｈ、７ＰＢｉへ加圧する。このとき、パイロットポート７ＰＢｈ、７ＰＢｉへの加圧を検知したディレイタイマー弁７２２Ｂ及び７２２Ｃは、設定された遅延時間が経過した後、閉弁して空圧シリンダー８２２及び８２３に加圧されていた空圧を抜く。
【００８２】
空圧シリンダー８２２及び８２３から空圧が抜けると、ロッド１０はシリンダー本体１１の内部に設けられたバネによって元の状態へ没入し、遠隔操作錠４２２及び４２３を解錠状態とする。従って、入室者が扉Ｄ２１から部屋Ｌ２に入室し、扉Ｄ２１が閉扉状態となった後も、扉Ｄ２２、Ｄ２３は設定された遅延時間の間は施錠状態のままであり、入室者は遅延時間が経過するまで扉Ｄ２２、又は扉Ｄ２３を開いて部屋Ｌ２から退室することができない。
【００８３】
これにより、一の扉Ｄ２１が閉まるタイミングと同時に他の扉Ｄ２２、又は扉Ｄ２３が開かれることを効果的に防止し、部屋Ｌ２を通り抜ける空気流が発生を防ぐことができる。また、本発明によれば、当該部屋Ｌ２を通り抜ける空気流が発生を防ぐ効果は、扉Ｄ２２、又は扉Ｄ２３のいずれから部屋Ｌ２へ入室した場合にも他の扉Ｄに対して発揮することができる。
【００８４】
なお、本実施の形態において、遅延切替ユニット７２の一部を第一の実施の形態で用いた切替弁７３に置き換えることも可能である。
【符号の説明】
【００８５】
１Ａ、１Ｂ      制御システム
２Ａ、２Ｂ      空圧回路
４              遠隔操作錠
６１１、６１２  空圧スイッチ
７              切替ユニット
７１１、７２１  タイマー切替弁
７１２、７２２  ディレイタイマー弁
７３            切替弁
８              空圧シリンダー
９              制御ユニット
１５            錠杆
２１１、２１２  駆動用空圧回路
２１２、２２２  制御用空圧回路
Ｄ              扉
Ｌ１、Ｌ２      部屋
【図１】
2018204394.tif 000003
【図２】
2018204394.tif 000004
【図３】
2018204394.tif 000005
【図４】
2018204394.tif 000006
【図５】
2018204394.tif 000007
【図６】
2018204394.tif 000008